(57)【要約】光ディスク（１００）は、認証データを含んだ該光ディスクにおける指定された領域（１０４）を読み込むことによって認証を受ける。前記光ディスクが記録可能ディスクであるとき、指定された領域は、前記光ディスクを読み込むレーザビームによる照射にさらされ、指定された領域内の記録可能セクタを消去し、ディスク認証のための前記指定された領域内に含まれるデータを込み込み不可能にする。
2014510360.tif 000002
【特許請求の範囲】
【請求項１】
偽造の／海賊版の非真正光ディスクを非活性化する方法であって、
前記光ディスク上の指定された領域を読み込むステップであって、読み込むことによって前記ディスクを認証するための情報を取得する、前記読み込むステップと、ディスク認証において、
前記ディスクが記録可能ディスクであるとき、前記指定された領域を加熱するステップであって、加熱することによって前記指定された領域内の記録可能セクタを消去し、ディスク認証のために前記指定された領域内に含まれるデータを読み込み不可能にする、前記加熱するステップと、
を含む、前記方法。
【請求項２】
前記読み込むステップは、前記指定された領域をレーザビームで照射することを含む、請求項１に記載の方法。
【請求項３】
前記加熱するステップは、前記指定された領域をレーザビームで照射することを含む、請求項１に記載の方法。
【請求項４】
前記加熱するステップは、前記光ディスクを認証するための前記情報を取得するために読み出された、前記指定された領域を照射するレーザビームで、前記指定された領域を照射することを含む、請求項２に記載の方法。
【請求項５】
前記指定された領域を前記レーザビームで照射することは、レーザビーム強度またはパワーのうちの１つを調整して、前記ディスクが記録可能ディスクを含む場合に、前記指定された領域内の記録可能セクタを消去するステップを含む、請求項１に記載の方法。
【請求項６】
偽造の光ディスクを非活性化する方法は、
前記光ディスク上の指定された領域をレーザビームによって読み込んで、前記光ディスクを認証するための情報を取得するステップと、ディスク認証において、
前記ディスクが記録可能ディスクであるとき、前記光ディスクを読み込む前記レーザビームによって前記指定された領域を加熱して、前記指定された領域内の記録可能セクタを消去し、ディスク認証のための前記指定された領域内に含まれるデータを読み込み不可能にするステップと、
を含む、前記方法。
【発明の詳細な説明】
【技術分野】
【０００１】
本発明は、真正に事前記録された光ディスクの認証および真正に事前記録されたディスクの代わりに使用される非真正の記録可能な光ディスクを非活性化することに関する。
【背景技術】
【０００２】
現在、ビデオゲームコンソールは、事前記録された真正ゲームディスクを認証および再生する能力を有している。ゲーム機の人気および収益性の高いゲームディスクのマーケットを背景に、そのようなディスクの偽造（海賊版）がしばしば発生している。ゲームディスクの不法な複製は、防止するのが難しいことが証明されているが、これは、あるターゲットの技術を使用して、ゲームコンソールがディスクを真正の事前記録ディスクとして識別するような方法で記録され得る、高価でない記録可能な光ディスクの入手しやすさのためである。ゲームコンソールが記録可能な偽造ディスクを真正であると識別すると、ゲームコンソールは、そのディスクを読み込み、ゲームをプレイすることを許可する。ゲームコンソールによって認証可能な海賊版ディスクを有するユーザは、正規のディスクを入手する必要がない。
【０００３】
それゆえ、正規のディスクは認証するが、そうではないディスクは非活性化する技術の必要性が存在している。
【発明の概要】
【０００４】
手短に、好ましい実施形態によれば、本原理に従って偽造光ディスクを非活性化する方法は、光ディスク上の指定された領域を読み込んで、ディスクを認証する情報を取得することによって開始する。ディスク認証において、指定された領域は加熱される。指定された領域を加熱することは、ディスクが記録可能ディスクであるときに、指定された領域内の記録されたセクタを消去する働きをし、それによって、その領域内に含まれる、ディスクを認証するためのデータを読み取り不可能にする。この指定された領域の加熱は、真正の事前記録されたディスクには害を与えないが、非真正の記録可能ディスクに破壊的な結果をもたらす。
【図面の簡単な説明】
【０００５】
【図１】本原理に従った、認証および（必要であれば）非活性化のための光ディスクの上面図である。
【図２】ディスクが記録可能ディスクであるときに、１つまたは複数の記録されたセクタの非活性化を示す図１のディスクの側断面図である。
【発明を実施するための形態】
【０００６】
図１は、光ディスク１００の上面図を示している。光ディスク１００は、連続したスパイラルパターン１０２が現れているコンテンツを記憶したＣＤ、ＤＶＤまたはＢｌｕ−ｒａｙ（登録商標）ディスクを含み得る。リードイン領域１０４がスパイラルパターン１０２の開始に存在し、リードアウト領域１０６がスパイラル１０２の終端に存在する。リードイン領域１０４は、一般的に、ディスク認証を可能にする、物理フォーマット情報、ディスク製造情報、コンテンツプロバイダ情報などの制御データを含む制御データゾーンを含んでいる。制御データを読み込んだ後、ゲームコンソール(図示せず)または他の電気装置内に存在するタイプのディスクプレイヤ／レコーダ(図示せず)は光ディスクを認証することができる。認証の後、ディスクプレイヤ／レコーダは、領域１１０、１２０、１３０、１４０によって図示された、複数のコンテンツストレージエリアのうちの１またはそれ以上のコンテンツストレージ領域内のディスク上に記憶された情報にアクセスする。ゲームコンソールによる使用のための光ディスクの場合、図１のコンテンツ領域１１０、１２０、１３０、１４０は、データおよび命令の形態のソフトウェアを含むこととなる。ソフトウェアは、ディスクプレイヤ／レコーダによって読み出されるとき、ゲームコンソール内のプロセッサ（図示せず）により実行されて、ユーザが、光ディスク上に記憶された１または２以上のゲームをプレイすることを可能としている。
【０００７】
ソフトウェアを含むというより、プログラム領域１１０、１２０、１３０、１４０はオーディオまたはオーディオビジュアルコンテンツを含み得る。典型的なゲームコンソールは、ディスク上にストアされた映画またはオーディオビジュアルコンテンツを含むディスクを、ユーザが再生することを可能にしている。
【０００８】
ゲームの合法的なソースを探し求めているゲームコンソールのユーザは、もともとのコンテンツ所有者またはゲーム開発者から、ライセンスによってまたはライセンスの下で、直接的に作成され頒布された小売される事前記録されたディスクを典型的に購入するだろう。「事前記録された」とは、製造プロセスの間、コンテンツとともに製造されたディスクを定義するように機能する。事前記録されたディスクの製造者は、もともとの認証データで記録されるガラスマスタでできているメタルスタンパからプラスチック射出成形レプリカ（複製）などの良く知られた技術を使用してディスクを作成する。
【０００９】
コンテンツオーナおよびディスク製造者が様々な著作権侵害対策の技術を使用して、事前記録したディスクの偽造の複製／成形を防止する一方で、高価でない、記録可能なディスクおよびレコーダの使用可能性の広がりが、前述した著作権侵害対策の技術を回避するよう設計された、ターゲットのカスタムレコーディングソフトウェアを有する「海賊版」のディスクの顕著な拡散につながっている。そのような海賊版ディスクは、ゲームコンソール内のディスクプレイヤ／レコーダによって認証されると、ディスクは適法に、事前記録されたディスクであるのと全く同じように、再生を許可される。
【００１０】
記録可能な光ディスクは、有機染料または無機／金属層である、少なくとも１つの記録層を有している。記録可能な光ディスク上に記録するために、ディスクプレイヤ／レコーダは染料層をレーザビームにさらし、層の特性を物理的に変性して、記録する情報を表すバイナリビットシーケンスに対応するパターンを焼き付ける。再生する間、ディスクプレイヤ／レコーダは、記録層内に焼き付けられたパターンを読み込んで、記録された情報を表すビットシーケンスを再生する。後続の、レーザビームによる、レコーディング層の加熱（焼付け）は、記録層特性の更なる変性を引き起こし、典型的には、以前に焼き付けたデータを永久に読み取り不可能にすることとなる。
【００１１】
図１の光ディスクの断面を示す図２を参照すると、事前記録されたディスクの熱感応性は、本原理によって、非真正ディスクを非活性化するために使用できる。同様の参照番号が図２に現れており、図１の光ディスクと共通する要素を特定する。本原理の非活性化方法は、ゲームコンソールおよび他の電気装置における非真正の海賊版の記録可能ディスクの使用に対処する。方法は、ゲームコンソールまたは他の電気装置のディスクプレイヤ／レコーダ内に挿入されたディスクを最初に認証することによって開始される。認証は、リードイン領域１０４内のコントロールゾーン内のデータを読み込むことによる、よく知られた方法で引き起こる。通常、ディスクプレイヤ／レコーダがディスクを認証したゲームコンソールまたは他の電気装置は、ディスクが実際は偽造の記録可能ディスクであるかどうかに関係なく、ディスクを真正なものとして扱う。
【００１２】
本原理によれば、認証に続いて、ゲームコンソールまたは他の電気装置内のディスクプレイヤ／レコーダは、図２のレーザビームを用いて、認証されたディスクに対し、図２のリードイン領域１０４などのディスクをブート処理または認証するのに必要なディスクのクリティカルな領域に、高いパワーの焼き付けサイクルを適用する命令を受け取る。レーザビーム１５０をリードイン領域１０４に適用することによって実行される焼付けサイクルは、リードイン領域内の記録可能なディスクのデータ構造の破壊または消去する働きをする。典型的には、光ディスク（ＣＤ、ＤＶＤ、およびＢＬｕ−ｒａｙ）は、リードイン領域１０４として図示された、プライマリすなわち第１のデータ層の内側半径において、クリティカルなリードインまたは制御データセクションを含んでいる。この領域は、光ディスク１００の認識、識別、認証、ブート処理のための、クリティカルなデータを含んでいる。焼付けサイクルは、事前記録されたディスク上に永久的な影響をもたらさないだろう。なぜならば、記録可能ディスクだけが、本質的に熱感応性があり、高い温度で、永久的な変形／消去にさらされる。
【００１３】
本原理の非活性方法は、記録可能光ディスクの主要な特性を活用する。議論したように、記録可能ディスクは、光ディスクプレイヤ／レコーダによって生成された高パワーのレーザビームへの提示において、記録を行う。上で議論したように、記録可能ディスクは、レーザエネルギーを吸収し、永久的な物理的または構造的変化を記録層にもたらすよう設計された有機のまたは無機の材料からなる記録層に特徴付けられる。事前記録されたディスクは、そのような記録可能領域を欠いているので、記録レーザビームの影響に鈍感なままである。
【００１４】
ほとんどの光ディスクドライブは、現在、光ディスクへの書き込み及び再生の能力を有するレコーダおよびプレイヤの両方として機能することができる。今日のゲームコンソールを含む多くの光ディスクアプリケーションは、ディスクプレイヤ／レコーダにわたる高い程度の制御を許可し、ディスクからデータを読み込むレーザビームのパワーを変更することを許容している。光ディスクを読み込むのに用いられるレーザビームの強度を、記録可能層を変性させるに十分なレベルまで増加させることは、ゲームコンソールまたは他の電気装置によって、ディスクを認証するにもかかわらず、偽造の事前記録ディスクを非活性化する。
【００１５】
上述の記載は、認証されたが偽造の記録可能光ディスクを非活性化する技術である。
【図１】
2014510360.tif 000003
【図２】
2014510360.tif 000004
【手続補正書】
【提出日】平成26年3月3日(2014.3.3)
【手続補正１】
【補正対象書類名】特許請求の範囲
【補正対象項目名】全文
【補正方法】変更
【補正の内容】
【特許請求の範囲】
【請求項１】
偽造の／海賊版の非真正光ディスクを非活性化する方法であって、
前記光ディスク上の指定された領域を読み込むステップであって、読み込むことによって前記ディスクを認証するための情報を取得する、前記読み込むステップと、ディスク認証において、
前記ディスクが記録可能ディスクであるとき、前記指定された領域を加熱するステップであって、加熱することによって前記指定された領域内の記録可能セクタを消去し、ディスク認証のために前記指定された領域内に含まれるデータを読み込み不可能にする、前記加熱するステップと、
を含む、前記方法。
【請求項２】
前記読み込むステップは、前記指定された領域をレーザビームで照射することを含む、請求項１に記載の方法。
【請求項３】
前記加熱するステップは、前記指定された領域をレーザビームで照射することを含む、請求項１に記載の方法。
【請求項４】
前記加熱するステップは、前記光ディスクを認証するための前記情報を取得するために読み出された、前記指定された領域を照射するレーザビームで、前記指定された領域を照射することを含む、請求項２に記載の方法。
【請求項５】
前記指定された領域を前記レーザビームで照射することは、レーザビーム強度またはパワーのうちの１つを調整して、前記ディスクが記録可能ディスクを含む場合に、前記指定された領域内の記録可能セクタを消去するステップを含む、請求項２から４のいずれかに記載の方法。
【請求項６】
偽造の光ディスクを非活性化する方法は、
前記光ディスク上の指定された領域をレーザビームによって読み込んで、前記光ディスクを認証するための情報を取得するステップと、ディスク認証において、
前記ディスクが記録可能ディスクであるとき、前記光ディスクを読み込む前記レーザビームによって前記指定された領域を加熱して、前記指定された領域内の記録可能セクタを消去し、ディスク認証のための前記指定された領域内に含まれるデータを読み込み不可能にするステップと、
を含む、前記方法。
【手続補正２】
【補正対象書類名】明細書
【補正対象項目名】００１５
【補正方法】変更
【補正の内容】
【００１５】
上述の記載は、認証されたが偽造の記録可能光ディスクを非活性化する技術である。
（付記１）
偽造の／海賊版の非真正光ディスクを非活性化する方法であって、
前記光ディスク上の指定された領域を読み込むステップであって、読み込むことによって前記ディスクを認証するための情報を取得する、前記読み込むステップと、ディスク認証において、
前記ディスクが記録可能ディスクであるとき、前記指定された領域を加熱するステップであって、加熱することによって前記指定された領域内の記録可能セクタを消去し、ディスク認証のために前記指定された領域内に含まれるデータを読み込み不可能にする、前記加熱するステップと、
を含む、前記方法。
（付記２）
前記読み込むステップは、前記指定された領域をレーザビームで照射することを含む、付記１に記載の方法。
（付記３）
前記加熱するステップは、前記指定された領域をレーザビームで照射することを含む、付記１に記載の方法。
（付記４）
前記加熱するステップは、前記光ディスクを認証するための前記情報を取得するために読み出された、前記指定された領域を照射するレーザビームで、前記指定された領域を照射することを含む、付記２に記載の方法。
（付記５）
前記指定された領域を前記レーザビームで照射することは、レーザビーム強度またはパワーのうちの１つを調整して、前記ディスクが記録可能ディスクを含む場合に、前記指定された領域内の記録可能セクタを消去するステップを含む、付記１に記載の方法。
（付記６）
偽造の光ディスクを非活性化する方法は、
前記光ディスク上の指定された領域をレーザビームによって読み込んで、前記光ディスクを認証するための情報を取得するステップと、ディスク認証において、
前記ディスクが記録可能ディスクであるとき、前記光ディスクを読み込む前記レーザビームによって前記指定された領域を加熱して、前記指定された領域内の記録可能セクタを消去し、ディスク認証のための前記指定された領域内に含まれるデータを読み込み不可能にするステップと、
を含む、前記方法。
【国際調査報告】
2014510360.tif 000005
2014510360.tif 000006